(57)【要約】【課題】設備情報データベースおよびスケルトン画面情報データベースの更新を容易に可能とし、運用者の負担を軽減することができる監視制御方法を提供することである。【解決手段】実施形態の監視制御方法は、通信部と演算処理部とを備え、電力系統の監視制御を行う監視制御装置に、クライアント装置のスケルトン画面上で変更のあったシンボルの情報を通信部を介して取得するシンボル情報取得処理と、シンボル対応データベースを参照することで、シンボルに対応する電力系統設備を判断するシンボル対応判断処理と、設備情報データベースから既設設備の情報を取得し、シンボルの情報と既設設備の情報から、電力系統設備が既設設備のうち、どの設備と接続されるかの接続状態を判断する設備接続判断処理と、設備接続判断処理で判断された接続状態を書き込み、設備情報データベースを更新する設備情報データベース更新処理とを演算処理部に実現させる。【選択図】図２
2014064426.tif 000002
【特許請求の範囲】
【請求項１】
外部との通信を行う通信部と、演算処理を行う演算処理部とを備え、電力系統の監視制御を行う監視制御装置に、
クライアント装置のスケルトン画面上で変更のあったシンボルの情報を前記通信部を介して取得するシンボル情報取得処理と、
シンボル対応データベースを参照し、前記シンボルに対応する電力系統設備を判断するシンボル対応判断処理と、
設備情報データベースから既設設備の情報を取得し、前記シンボルの情報と前記既設設備の情報から、前記電力系統設備が前記既設設備のうち、どの設備と接続されるかの接続状態を判断する設備接続判断処理と、
前記設備接続判断処理で判断された接続状態を書き込み、前記設備情報データベースを更新する設備情報データベース更新処理と
を前記演算処理部に実現させる監視制御方法。
【請求項２】
前記シンボルの情報に所定の情報が含まれているか否かを判断するシンボル情報判断処理と、
前記シンボル情報判断処理により、前記所定の情報が含まれていると判断された場合に、前記所定の情報を前記シンボル対応データベースに反映させるシンボル対応データベース更新処理と
をさらに前記演算処理部に実現させる請求項１に記載の監視制御方法。
【請求項３】
前記シンボル情報判断処理は、前記シンボルの情報に、前記シンボルに対応する電力系統設備の名称が含まれているか否かを判断し、
前記シンボル対応データベース更新処理は、前記シンボル情報判断処理により前記電力系統設備の名称が含まれていると判断された場合に、前記シンボルと前記電力系統設備を紐付けさせ、前記シンボル対応データベースに反映させる請求項２に記載の監視制御方法。
【請求項４】
前記シンボル情報判断処理は、前記シンボルの情報に、前記シンボルを複数組み合せたセットシンボルが含まれているか否かを判断し、
前記シンボル対応データベース更新処理は、前記シンボル情報判断処理により前記セットシンボルが含まれていると判断された場合に、前記セットシンボルを前記シンボル対応データベースに反映させる請求項２に記載の監視制御方法。
【請求項５】
クライアント装置のスケルトン画面上で変更のあったシンボルの情報を前記通信部を介して取得するシンボル情報取得手段と、
シンボル対応データベースを参照し、前記シンボルに対応する電力系統設備を判断するシンボル対応判断手段と、
設備情報データベースから既設設備の情報を取得し、前記シンボルの情報と前記既設設備の情報から、前記電力系統設備が前記既設設備のうち、どの設備と接続されるかの接続状態を判断する設備接続判断手段と、
前記設備接続判断手段で判断された接続状態を書き込み、前記設備情報データベースを更新する設備情報データベース更新手段と
を備える監視制御装置。
【請求項６】
前記シンボルの情報に所定の情報が含まれているか否かを判断するシンボル情報判断手段と、
前記シンボル情報判断手段により、前記所定の情報が含まれていると判断された場合に、前記所定の情報を前記シンボル対応データベースに反映させるシンボル対応データベース更新手段と
をさらに備える請求項５に記載の監視制御装置。
【請求項７】
前記シンボル情報判断手段は、前記シンボルの情報に、前記シンボルに対応する電力系統設備の名称が含まれているか否かを判断し、
前記シンボル対応データベース更新手段は、前記シンボル情報判断手段により前記電力系統設備の名称が含まれていると判断された場合に、前記シンボルと前記電力系統設備を紐付けさせ、前記シンボル対応データベースに反映させる請求項６に記載の監視制御装置。
【請求項８】
前記シンボル情報判断手段は、前記シンボルの情報に、前記シンボルを複数組み合せたセットシンボルが含まれているか否かを判断し、
前記シンボル対応データベース更新手段は、前記シンボル情報判断手段により前記セットシンボルが含まれていると判断された場合に、前記セットシンボルを前記シンボル対応データベースに反映させる請求項６に記載の監視制御装置。
【発明の詳細な説明】
【技術分野】
【０００１】
本発明の実施形態は、電力系統の監視制御を行う監視制御方法および監視制御装置に関する。
【背景技術】
【０００２】
一般に、電力系統の監視制御装置におけるスケルトン画面情報ＤＢ（Ｄａｔａ  Ｂａｓｅ：データベース）や設備情報ＤＢのメンテナンスは、電力系統の監視制御を行う監視制御装置、運用者が監視制御装置の操作を行うクライアント装置、監視制御装置のソフトウェアや設備情報ＤＢの修正、スケルトン画面情報ＤＢの修正を行うメンテナンス装置によって行われる。監視制御装置には、制御系と待機系があり、制御系の監視制御装置、待機系の監視制御装置、クライアント装置、メンテナンス装置はＬＡＮ（Ｌｏｃａｌ  Ａｒｅａ  Ｎｅｔｗｏｒｋ）で接続され、互いにデータや情報の授受が可能となっている。
【０００３】
具体的には、電力系統設備の新設や削除が行われると、メンテナンス装置を用いて、電力系統設備に対応するように設備情報ＤＢとスケルトン画面情報ＤＢの修正が行われる。修正結果を確認するために、メンテナンス装置において修正された設備情報ＤＢとスケルトン画面情報ＤＢを待機系の監視制御装置における設備情報ＤＢとスケルトン画面情報ＤＢに等価し確認試験が行われる。確認試験により設備情報ＤＢとスケルトン画面情報ＤＢに問題がなければ、制御系の監視制御装置と待機系の監視制御装置の制御系／待機系の切替えが実施される。
【０００４】
続いて、メンテナンス装置において修正された設備情報ＤＢとスケルトン画面情報ＤＢが新しく待機系になった監視制御装置における設備情報ＤＢとスケルトン画面情報ＤＢに等価される。そして再度、監視制御装置の制御系／待機系の切替えが実施される。
【０００５】
そのため、暫定的な仮設の電力系統設備の設置や撤去、ならびに付属機器の設置や撤去といったメンテナンス作業であってもメンテナンス装置を使用し、監視制御装置の制御系／待機系の運用切替えが必要であるため、運用者の負担となっていた。
【先行技術文献】
【特許文献】
【０００６】
【特許文献１】特開２０１０−１７２１０６号公報
【発明の概要】
【発明が解決しようとする課題】
【０００７】
本発明の実施形態が解決しようとする課題は、設備情報データベースおよびスケルトン画面情報データベースの更新を容易に可能とし、運用者の負担を軽減することができる監視制御方法を提供することである。
【課題を解決するための手段】
【０００８】
実施形態の監視制御方法は、外部との通信を行う通信部と、演算処理を行う演算処理部とを備え、電力系統の監視制御を行う監視制御装置に、クライアント装置のスケルトン画面上で変更のあったシンボルの情報を前記通信部を介して取得するシンボル情報取得処理と、シンボル対応データベースを参照することで、前記シンボルに対応する電力系統設備を判断するシンボル対応判断処理と、設備情報データベースから既設設備の情報を取得し、前記シンボルの情報と前記既設設備の情報から、前記電力系統設備が前記既設設備のうち、どの設備と接続されるかの接続状態を判断する設備接続判断処理と、前記設備接続判断処理で判断された接続状態を書き込み、前記設備情報データベースを更新する設備情報データベース更新処理とを前記演算処理部に実現させる。
【図面の簡単な説明】
【０００９】
【図１】第１の実施形態に係る監視制御装置の構成を示すブロック図。
【図２】第１の実施形態に係る監視制御装置の記憶部の構成を示すブロック図。
【図３】第１の実施形態に係る監視制御装置のシンボル対応ＤＢに格納されたテーブルの一例を示す説明図。
【図４】第１の実施形態に係る監視制御装置の設備情報ＤＢに格納されたテーブルの一例を示す説明図。
【図５】第１の実施形態に係る監視制御装置の動作を示すフローチャート。
【図６】第２の実施形態に係る監視制御装置の記憶部の構成を示すブロック図。
【図７】第２の実施形態に係る監視制御装置の動作を示すフローチャート。
【図８】第３の実施形態に係る監視制御装置の記憶部の構成を示すブロック図。
【図９】第３の実施形態に係る監視制御装置の動作を示すフローチャート。
【図１０】第３の実施形態に係る監視制御装置のシンボル対応ＤＢに格納されたテーブルの一例を示す説明図。
【発明を実施するための形態】
【００１０】
以下、実施形態を図面に基づき説明する。
【００１１】
（第１の実施形態）
図１は第１の実施形態に係る監視制御装置の構成を示すブロック図である。
【００１２】
第１の実施形態に係る監視制御装置１は、図１に示すように通信部２、演算処理部３、記憶部４を有する。
【００１３】
通信部２は、運用者が操作する図示しないクライアント装置とのデータの授受を行うインターフェース（Ｉｎｔｅｒｆａｃｅ）などの通信装置、通信手段である。
【００１４】
演算処理部３は、記憶部４に格納された各プログラムを読み出し、演算処理を行う。具体的には、ＣＰＵ（Ｃｅｎｔｒａｌ  Ｐｒｏｃｅｓｓｉｎｇ  Ｕｎｉｔ）などのプロセッサであり、機能に応じて複数備えていてもよい。
【００１５】
記憶部４は、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などのメモリ及び、ハードディスクドライブ（Ｈａｒｄ  Ｄｉｓｋ  Ｄｒｉｖｅ：ＨＤＤ）などの記憶装置、記憶手段である。ＨＤＤなどの磁気ディスク以外にも光磁気ディスクやＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ブルーレイディスク（Ｂｌｕ−ｒａｙ  Ｄｉｓｃ）などの光ディスクを利用してもよい。
【００１６】
記憶部４には、図２に示すように、演算処理部３での処理に利用されるシンボル情報取得プログラム４０１、スケルトン画面情報ＤＢ（Ｄａｔａ  Ｂａｓｅ：データベース）４０２、シンボル対応ＤＢ４０３、シンボル対応判断プログラム４０４、設備情報ＤＢ４０５、設備接続判断プログラム４０６、設備情報ＤＢ更新プログラム４０７が格納される。
【００１７】
シンボル情報取得プログラム４０１は、運用者が図示しないクライアント装置のスケルトン画面上において、シンボルの追加や削除といった変更を行った場合に、通信部２を介して変更されたシンボルの情報を取得する機能と、取得したシンボルの情報をスケルトン画面情報ＤＢ４０２に書き込む機能を演算処理部３に実現させるシンボル情報取得手段である。
【００１８】
ここで、スケルトン画面とは単相結線図や関連系統図といった、電力系統設備のシンボルや状況の表示、操作を行う画面である。
【００１９】
また、シンボルの情報とは例えば、シンボル、描画されたシンボルの数、シンボルが描画された座標値である。
【００２０】
スケルトン画面情報ＤＢ４０２には、既設設備のシンボルの情報が格納されている。
【００２１】
シンボル対応ＤＢ４０３には、例えば図３に示すように、シンボルとそれらに対応した電力系統設備が紐付けされ格納されている。
【００２２】
シンボル対応判断プログラム４０４は、シンボル対応ＤＢ４０３を参照することで、スケルトン画面上で追加や削除されたシンボルに対応する電力系統設備を判断する機能と、シンボル情報取得プログラム４０１により取得されたシンボルの情報に、対応する電力系統設備を紐付けさせる機能を演算処理部３に実現させるシンボル対応判断手段である。
【００２３】
設備情報ＤＢ４０５には、例えば、図４に示すように番号、電力系統設備の名称、座標値、接続される設備（接続状態）といった既設設備の情報が格納されている。しかし、図４は一例でありこれらに限定されるものではない。例えばこれらの既設設備の情報は１つのＤＢではなく、複数のＤＢに分けて格納されていてもよい。
【００２４】
設備接続判断プログラム４０６は、設備情報ＤＢ４０５から既設設備の情報を取得する機能と、シンボル対応判断プログラム４０４により、対応する電力系統設備が紐付けされたシンボルの情報と、設備情報ＤＢ４０５から取得された既設設備の情報から、描画されたシンボルに対応する電力系統設備が既設設備のうち、どの設備と接続されるかの接続状態を判断する機能を演算処理部３に実現させる設備接続判断手段である。
【００２５】
設備情報ＤＢ更新プログラム４０７は、設備接続判断プログラム４０６により判断された接続状態を設備情報ＤＢ４０５に書き込む機能を演算処理部３に実現させる設備情報データベース更新手段である。
【００２６】
次に動作について図５を用いて説明する。図５は第１の実施形態に係る監視制御装置の動作を示すフローチャートである。
【００２７】
演算処理部３は、シンボル情報取得プログラム４０１を実行し、運用者が図示しないクライアント装置のスケルトン画面上に追加したシンボルの情報を通信部２を介して取得する。（ステップＳ１０１）。
【００２８】
そして、取得したシンボルの情報をスケルトン画面情報ＤＢ４０２に書き込むことでスケルトン画面情報ＤＢ４０２を更新する（ステップＳ１０２）。
【００２９】
演算処理部３は、シンボル対応判断プログラム４０４を実行し、シンボル対応ＤＢ４０３を参照することで、スケルトン画面上に追加されたシンボルに対応する電力系統設備を判断する（ステップＳ１０３）。
【００３０】
そして、シンボル情報取得プログラム４０１により取得したシンボルの情報に、対応する電力系統設備を紐付けさせる（ステップＳ１０４）。
【００３１】
演算処理部３は、設備接続判断プログラム４０６を実行し、設備情報ＤＢ４０５から既設設備の情報を取得する（ステップＳ１０５）。
【００３２】
そして、シンボル対応判断プログラム４０４により、対応する電力系統設備が紐付けされたシンボルの情報と、設備情報ＤＢ４０５から取得された既設設備の情報から、描画されたシンボルに対応する電力系統設備が既設設備のうち、どの設備と接続されるかの接続状態を判断する（ステップＳ１０６）。
【００３３】
演算処理部３は、設備情報ＤＢ更新プログラム４０７を実行し、設備接続判断プログラム４０６により判断された接続状態を設備情報ＤＢ４０５に書き込むことで設備情報ＤＢ４０５を更新する（ステップＳ１０７）。
【００３４】
図５に示したフローチャートでは、運用者によってスケルトン画面上にシンボルが追加された場合を示したが、シンボルが削除された場合でも同様である。
【００３５】
以上説明したように、この第１の実施形態に係る監視制御装置では、スケルトン画面上にシンボルが描画された場合に、スケルトン画面情報ＤＢ４０２および設備情報ＤＢ４０５の更新が行われるため、メンテナンス装置の使用や監視制御装置の制御系／待機系の運用切替えが必要ない。そのことにより、運用者の負担を軽減することができる。
【００３６】
（第２の実施形態）
第２の実施形態の構成について、図６を用いて説明する。なお、第１の実施形態の監視制御装置の各部と同一部分は同一符号で示し、説明は省略する。図６は第２の実施形態に係る監視制御装置の記憶部の構成を示すブロック図である。
【００３７】
この第２の実施形態が、第１の実施形態と異なる点は記憶部４にある。以下に第１の実施形態と異なる点について説明する。
【００３８】
記憶部４には、図６に示すように、演算処理部３での処理に利用されるシンボル情報取得プログラム４０１、スケルトン画面情報ＤＢ４０２、シンボル対応ＤＢ４０３、シンボル対応判断プログラム４０４、設備情報ＤＢ４０５、設備接続判断プログラム４０６、設備情報ＤＢ更新プログラム４０７、シンボル情報判断プログラム４０８、シンボル対応ＤＢ更新プログラム４０９が格納される。
【００３９】
シンボル情報判断プログラム４０８は、シンボル情報取得プログラム４０１により取得されたシンボルの情報に、シンボルに対応する電力系統設備の名称が含まれているか否かを判断する機能を演算処理部３に実現させるシンボル情報判断手段である。
【００４０】
シンボル対応ＤＢ更新プログラム４０９は、シンボル情報判断プログラム４０８により、シンボルに対応する電力系統設備の名称が含まれていると判断された場合に、シンボルと、そのシンボルに対応する電力系統設備を紐付けさせ、シンボル対応ＤＢ４０３に反映させる機能を演算処理部３に実現させるシンボル対応ＤＢ更新手段である。
【００４１】
次に動作について図７を用いて説明する。図７は第２の実施形態に係る監視制御装置の動作を示すフローチャートである。
【００４２】
（ステップＳ１０１）は第１の実施形態と同様であるので省略する。
【００４３】
演算処理部３は、シンボル情報判断プログラム４０８を実行し、シンボル情報取得プログラム４０１により取得されたシンボルの情報に、シンボルに対応する電力系統設備の名称が含まれているか否かを判断する（ステップＳ１０８）。
【００４４】
演算処理部３は、シンボル対応ＤＢ更新プログラム４０９を実行し、シンボル情報判断プログラム４０８によりシンボルに対応する電力系統設備の名称が含まれていると判断された場合（ステップＳ１０８  ＹＥＳ）に、シンボルと、そのシンボルに対応する電力系統設備を紐付けさせる。そして、シンボル対応ＤＢ４０３に反映させ、シンボル対応ＤＢ４０３を更新する。
【００４５】
具体的には、図３では四角のシンボルに対して遮断器が紐付けされており、丸のシンボルに対して断路器が紐付けされているが、シンボルの情報中に三角のシンボルと「断路器」という名称が含まれている場合に、三角のシンボルと断路器が紐付けされ、三角のシンボルは「断路器」を表すものとしてシンボル対応ＤＢ４０３に反映される。
【００４６】
（ステップＳ１０２）乃至（ステップＳ１０７）は第１の実施形態と同様であるので省略する。
【００４７】
以上説明したように、この第２の実施形態に係る監視制御装置では、スケルトン画面上に描画されたシンボルの情報中に電力系統設備の名称が含まれている場合、シンボルと電力系統設備が紐付けされ、シンボル対応ＤＢ４０３に反映される。そのため、第１の実施形態で得られる効果に加えて、容易にシンボル対応ＤＢ４０３を変更、更新することができ、より運用者の負担軽減に繋がる。
【００４８】
（第３の実施形態）
第３の実施形態の構成について、図８を用いて説明する。なお、第１の実施形態および第２の実施形態の監視制御装置の各部と同一部分は同一符号で示し、説明は省略する。図８は第３の実施形態に係る監視制御装置の記憶部の構成を示すブロック図である。
【００４９】
この第３の実施形態が、第１の実施形態および第２の実施形態と異なる点は記憶部４にある。以下に第１の実施形態および第２の実施形態と異なる点について説明する。
【００５０】
記憶部４には、図８に示すように、演算処理部３での処理に利用されるシンボル情報取得プログラム４０１、スケルトン画面情報ＤＢ４０２、シンボル対応ＤＢ４０３、シンボル対応判断プログラム４０４、設備情報ＤＢ４０５、設備接続判断プログラム４０６、設備情報ＤＢ更新プログラム４０７、シンボル情報判断プログラム４１０、シンボル対応ＤＢ更新プログラム４１１が格納される。
【００５１】
シンボル情報判断プログラム４１０は、シンボル情報取得プログラム４０１により取得されたシンボルの情報に、セットシンボルが含まれているか否かを判断する機能を演算処理部３に実現させるシンボル情報判断手段である。
【００５２】
ここで、セットシンボルとは複数のシンボルを組み合せて定義されたシンボルである。
【００５３】
シンボル対応ＤＢ更新プログラム４１１は、シンボル情報判断プログラム４１０によりセットシンボルが含まれていると判断された場合に、そのセットシンボルをシンボル対応ＤＢ４０３に反映させる機能を演算処理部３に実現させるシンボル対応ＤＢ更新手段である。
【００５４】
次に動作について図９を用いて説明する。図９は第３の実施形態に係る監視制御装置の動作を示すフローチャートである。
【００５５】
（ステップＳ１０１）は第１の実施形態と同様であるので省略する。
【００５６】
演算処理部３は、シンボル情報判断プログラム４１０を実行し、シンボル情報取得プログラム４０１により取得されたシンボルの情報に、セットシンボルが含まれているか否かを判断する（ステップＳ１１０）。
【００５７】
演算処理部３は、シンボル対応ＤＢ更新プログラム４１１を実行し、シンボル情報判断プログラム４１０によりセットシンボルが含まれていると判断された場合（ステップＳ１１０  ＹＥＳ）に、シンボル対応ＤＢ４０３に反映させシンボル対応ＤＢ４０３を更新する（ステップＳ１１１）。
【００５８】
（ステップＳ１０２）乃至（ステップＳ１０７）は第１の実施形態と同様であるので省略する。
【００５９】
図１０に、図３に示したシンボル対応ＤＢ４０３にセットシンボルが反映され、更新された場合の一例を示す。
【００６０】
以上説明したように、この第３の実施形態に係る監視制御装置では、スケルトン画面上に描画されたシンボルの情報中に、複数のシンボルを組み合せて定義されたセットシンボルが含まれている場合、そのセットシンボルがシンボル対応ＤＢ４０３に反映される。そのため、運用者はシンボル対応ＤＢ４０３に格納されたセットシンボルを呼び出すことで、容易にスケルトン画面の編集が可能となり、第１の実施形態で得られる効果に加えて、より運用者の負担軽減に繋がる。
【００６１】
本発明のいくつかの実施形態について説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれる。
【符号の説明】
【００６２】
１…監視制御装置
２…通信部
３…演算処理部
４…記憶部
４０１…シンボル情報取得プログラム
４０２…スケルトン画面情報ＤＢ（Ｄａｔａ  Ｂａｓｅ：データベース）
４０３…シンボル対応ＤＢ
４０４…シンボル対応判断プログラム
４０５…設備情報ＤＢ
４０６…設備接続判断プログラム
４０７…設備情報ＤＢ更新プログラム
４０８，４１０…シンボル情報判断プログラム
４０９，４１１…シンボル対応ＤＢ更新プログラム
【図１】
2014064426.tif 000003
【図２】
2014064426.tif 000004
【図３】
2014064426.tif 000005
【図４】
2014064426.tif 000006
【図５】
2014064426.tif 000007
【図６】
2014064426.tif 000008
【図７】
2014064426.tif 000009
【図８】
2014064426.tif 000010
【図９】
2014064426.tif 000011
【図１０】
2014064426.tif 000012